(57)【特許請求の範囲】
【請求項１】
通信ネットワークを介して複数のユーザの端末と接続可能な対話記事投稿装置であって、
前記複数のユーザを識別するユーザ識別情報を記憶するユーザ識別情報記憶手段と、
前記複数のユーザのうちいずれか一のユーザが入力した対話データを第１のレイアウトで前記端末から受信し、受信した前記対話データを他の前記ユーザの端末へ送信すると共に、受信した前記対話データと前記一のユーザのユーザ識別情報とを対応付けて対話記憶手段に記憶する対話進行手段と、
前記対話記憶手段に記憶した前記対話データを前記一のユーザによる前記端末の操作により指定して、前記対話データを前記通信ネットワークを介して第三者が閲覧可能とする旨を指示する投稿指示データを前記端末から受信する投稿受付手段と、
前記投稿受付手段が前記投稿指示データを受信したことに応じて、指定された前記対話データに対応付けて記憶している複数の前記ユーザ識別情報を連結して連結ユーザ識別情報を作成する識別情報連結手段と、
前記識別情報連結手段が作成した前記連結ユーザ識別情報と、指定された前記対話データが第２のレイアウトに整形された対話記事データと、を対応付けて前記通信ネットワークを介して第三者が閲覧可能な状態で対話記事記憶手段に記憶する対話記事投稿手段と、を備え、
前記対話記事データが記憶された後に、前記複数のユーザのうちいずれか一のユーザから、前記連結ユーザ識別情報により識別されるユーザに対応する前記対話記事データに対して新たな対話データが前記第１のレイアウトで入力された場合、前記対話記事投稿手段は、更新前の前記対話記事データに対して、前記新たな対話データが追加されて前記第２のレイアウトに整形された対話記事データを更新後の対話記事データとして前記対話記事記憶手段に記憶する、
ことを特徴とする対話記事投稿装置。
【請求項２】
前記端末から、少なくとも前記連結ユーザ識別情報の一部を指定するクエリーを伴って前記対話記事データの検索要求を受信する対話記事検索受付手段と、
受信した前記クエリーに基づいて、指定された前記連結ユーザ識別情報に対応する前記対話記事データを検索し、検索した前記対話記事データを前記端末へ送信する対話記事検索手段と、
を更に備えることを特徴とする、請求項１に記載の対話記事投稿装置。
【請求項３】
新たな対話を希望する前記ユーザのユーザ識別情報を伴って、前記連結ユーザ識別情報を指定して、新たな対話を希望する旨を示す対話希望データを前記ユーザの端末から受信する対話希望受付手段と、
前記対話希望受付手段が受信した前記対話希望データに基づいて、指定された前記連結ユーザ識別情報を構成するユーザ識別情報に対応するユーザの端末に、前記新たな対話を希望する前記ユーザのユーザ識別情報を送信する対話希望送信手段と、
を備えることを特徴とする、請求項１又は請求項２に記載の対話記事投稿装置。
【請求項４】
前記複数のユーザのうちいずれか一のユーザから対話記事のテーマを受け付け、受け付けた前記テーマを閲覧可能とする対話テーマ受信手段と、
前記対話テーマ受信手段が閲覧可能とした前記テーマについて、対話を希望する前記ユーザから申し込みを受信する申込受信手段と、
前記申込受信手段が受信した前記申し込みに基づいて、前記申し込みをしたユーザの間で対話をすることについての同意を、前記申し込みをしたユーザから受信する対話同意受信手段と、を更に備え、
前記対話進行手段は、前記対話同意受信手段が前記同意を受信した前記ユーザのうちいずれか一のユーザが入力した対話データを前記端末から受信し、前記同意を受信した他のユーザの端末へ受信した前記対話データを送信することを特徴とする、請求項１乃至請求項３に記載の対話記事投稿装置。
【請求項５】
通信ネットワークを介して複数のユーザの端末と接続可能な対話記事投稿装置を含む対話記事投稿システムであって、
前記ユーザの端末は、
ユーザが入力した対話データを前記対話記事投稿装置に送信し、前記対話記事投稿装置からデータを受信する送受信手段と、を備え、
前記対話記事投稿装置は、
前記複数のユーザを識別するユーザ識別情報を記憶するユーザ識別情報記憶手段と、
前記複数のユーザのうちいずれか一のユーザが入力した前記対話データを第１のレイアウトで前記端末から受信し、受信した前記対話データを他の前記ユーザの端末へ送信すると共に、受信した前記対話データと前記一のユーザのユーザ識別情報とを対応付けて対話記憶手段に記憶する対話進行手段と、
前記対話記憶手段に記憶した前記対話データを前記一のユーザによる前記端末の操作により指定して、前記対話データを前記通信ネットワークを介して第三者が閲覧可能とする旨を指示する投稿指示データを前記端末から受信する投稿受付手段と、
前記投稿受付手段が前記投稿指示データを受信したことに応じて、指定された前記対話データに対応付けて記憶している複数の前記ユーザ識別情報を連結して連結ユーザ識別情報を作成する識別情報連結手段と、
前記識別情報連結手段が作成した前記連結ユーザ識別情報と、指定された前記対話データが第２のレイアウトに整形された対話記事データと、を対応付けて前記通信ネットワークを介して第三者が閲覧可能な状態で対話記事記憶手段に記憶する対話記事投稿手段と、を備え、
前記対話記事データが記憶された後に、前記複数のユーザのうちいずれか一のユーザから、前記連結ユーザ識別情報により識別されるユーザに対応する前記対話記事データに対して新たな対話データが前記第１のレイアウトで入力された場合、前記対話記事投稿手段は、更新前の前記対話記事データに対して、前記新たな対話データが追加されて前記第２のレイアウトに整形された対話記事データを更新後の対話記事データとして前記対話記事記憶手段に記憶する、
ことを特徴とする対話記事投稿システム。
【請求項６】
通信ネットワークを介して複数のユーザの端末と接続可能な対話記事投稿装置が実行可能な対話記事投稿方法であって、
前記複数のユーザを識別するユーザ識別情報をユーザ識別情報記憶手段に記憶するステップと、
前記複数のユーザのうちいずれか一のユーザが入力した対話データを第１のレイアウトで前記端末から受信し、受信した前記対話データを他の前記ユーザの端末へ送信すると共に、受信した前記対話データと前記一のユーザのユーザ識別情報とを対応付けて対話記憶手段に記憶するステップと、
前記対話記憶手段に記憶した前記対話データを前記一のユーザによる前記端末の操作により指定して、前記対話データを前記通信ネットワークを介して第三者が閲覧可能とする旨を指示する投稿指示データを前記端末から受信するステップと、
前記投稿指示データを受信したことに応じて、指定された前記対話データに対応付けて記憶している複数の前記ユーザ識別情報を連結して連結ユーザ識別情報を作成するステップと、
前記作成した前記連結ユーザ識別情報と、指定された前記対話データが第２のレイアウトに整形された対話記事データと、を対応付けて前記通信ネットワークを介して第三者が閲覧可能な状態で対話記事記憶手段に記憶するステップと、を含み、
前記対話記事データが記憶された後に、前記複数のユーザのうちいずれか一のユーザから、前記連結ユーザ識別情報により識別されるユーザに対応する前記対話記事データに対して新たな対話データが前記第１のレイアウトで入力された場合、前記対話記事記憶手段に記憶するステップは、更新前の前記対話記事データに対して、前記新たな対話データが追加されて前記第２のレイアウトに整形された対話記事データを更新後の対話記事データとして前記対話記事記憶手段に記憶する、
ことを特徴とする対話記事投稿方法。
【発明の詳細な説明】
【技術分野】
【０００１】
本発明は、対話記事投稿装置、システム、及び方法に関する。
【背景技術】
【０００２】
従来、コンピュータネットワークを利用する情報提供として、記事を書き込み、閲覧できるようにした電子掲示板などがある。また、コンピュータネットワークを利用して、電子メールなどによる情報交換や、チャットやメッセンジャーなどの対話による情報交換が行われている。ユーザは、これらの提供された情報を閲覧し、意見や感想を投稿することにより、ユーザ同士のコミュニケーションを広げていくことができ、他人との繋がりを通じて新たな人間関係を構築することができる。
【０００３】
このような情報提供のひとつにブログと呼ばれる情報提供がある。ブログでは、個人的な体験や様々な話題などについての記事を投稿することができ、手軽に情報の発信ができる。このようなブログでは、情報を発信する主催者と、閲覧するユーザとの間の情報交換は、ユーザからのコメントの投稿により行われ、例えば、特許文献１のようなシステムが知られている。特許文献１では、日記記事に対するコメントを少ない手順で簡単に投稿することができ、コメント投稿者から投稿されたコメントデータを日記データに対応付けて登録している。すなわち、日記に記載した内容と、その内容に対応付けて登録されたユーザのコメントとにより、ブログの主催者とユーザとのコミュニケーションが成立し、ユーザはブログ主催者との繋がりを通じて新たな人間関係を構築することができる。
【特許文献１】特開２００７−２１９７６３号公報
【発明の開示】
【発明が解決しようとする課題】
【０００４】
しかしながら、コメントデータに対応付けられた日記データは、ブログの主催者が１人で書いているので、ネタ切れになり、放置されるような場合もある。また、複数人数で運営できるブログシステムであっても、１人１記事を投稿するという従来の仕組みとなんら変わりがないので、誰も投稿しない状態に陥いる場合が多々ある。
【０００５】
一方、メッセンジャーなどでは、相手と会話をするので、相手によって引き出される話題などにより、話題が自然に多岐になり、情報が豊富になる。このような会話のログを、そのままブログに１記事として投稿できれば、ブログの話題に事欠くことがないと考えられる。そこで、離れた場所にいる者同士が、協力して１つの記事を投稿できるような、新しい情報提供のスタイルが求められている。
【０００６】
本発明は、コンピュータネットワークを介して行われる情報提供に、新たな情報提供のスタイルを提供し、結果として、新たなコミュニケーションを促進できる装置を提供することを目的とする。
【課題を解決するための手段】
【０００７】
本発明では、以下のような解決手段を提供する。
【０００８】
（１）  通信ネットワークを介して複数のユーザの端末と接続可能な対話記事投稿装置であって、前記複数のユーザを識別するユーザ識別情報を記憶するユーザ識別情報記憶手段と、前記複数のユーザのうちいずれか一のユーザが入力した対話データを前記端末から受信し、受信した前記対話データを他の前記ユーザの端末へ送信すると共に、受信した前記対話データと前記一のユーザのユーザ識別情報とを対応付けて対話記憶手段に記憶する対話進行手段と、前記対話記憶手段に記憶した前記対話データを指定して、前記対話データを前記通信ネットワークを介して第三者が閲覧可能とする旨を指示する投稿指示データを前記端末から受信する投稿受付手段と、前記投稿受付手段が前記投稿指示データを受信したことに応じて、指定された前記対話データに対応付けて記憶している複数の前記ユーザ識別情報を連結して連結ユーザ識別情報を作成する識別情報連結手段と、前記識別情報連結手段が作成した前記連結ユーザ識別情報と、指定された前記対話データに基づいて作成した対話記事データと、を対応付けて前記通信ネットワークを介して第三者が閲覧可能な状態で対話記事記憶手段に記憶する対話記事投稿手段と、
を備えることを特徴とする対話記事投稿装置。
【０００９】
（１）の構成によれば、本発明に係る対話記事投稿装置は、通信ネットワークを介して複数のユーザの端末と接続可能であって、複数のユーザを識別するユーザ識別情報を記憶するユーザ識別情報記憶手段を備えている。そして、複数のユーザのうちいずれか一のユーザが入力した対話データを端末から受信し、受信した対話データを他のユーザの端末へ送信すると共に、受信した対話データと一のユーザのユーザ識別情報とを対応付けて対話記憶手段に記憶する。更に、対話記憶手段に記憶した対話データを指定して、対話データを通信ネットワークを介して第三者が閲覧可能とする旨を指示する投稿指示データを端末から受信し、受信したことに応じて、指定された対話データに対応付けて記憶している複数のユーザ識別情報を連結して連結ユーザ識別情報を作成し、作成した連結ユーザ識別情報と、指定された対話データに基づいて作成した対話記事データと、を対応付けて通信ネットワークを介して第三者が閲覧可能な状態で対話記事記憶手段に記憶する。
【００１０】
すなわち、本発明に係る対話記事投稿装置は、複数のユーザが通信ネットワークを介して対話したデータを記憶し、ユーザの指示に応じて、指定された対話データに対応付けて記憶している複数のユーザ識別情報を連結して連結ユーザ識別情報を作成し、作成した連結ユーザ識別情報と、指定された対話データに基づいて作成した対話記事データと、を対応付けて通信ネットワークを介して第三者が閲覧可能な状態で対話記事記憶手段に記憶する。
【００１１】
したがって、本発明に係る対話記事投稿装置は、複数のユーザが通信ネットワークを介して対話したデータに基づいて作成した対話記事データを当該連結ユーザ識別情報の名の下に第三者が閲覧可能とする、という新たな記事投稿のスタイルを提供する。その結果、対話記事という複数のユーザが関係する記事を、自動的に作成した連結ユーザ識別情報に関連付けて公表することが可能となる。
【００１２】
更に、対話記事データを閲覧した第三者が、対話記事データに対応付けられた連結ユーザ識別情報に係るユーザに対して新たな対話を申し込むことが可能となり、通信ネットワークを介して、連結ユーザ識別情報をキーとしてユーザ同士の新たなコミュニケーションの機会を提供することができる。或いは、連結ユーザ識別情報により識別する複数のユーザの集合体が、当該対話記事の投稿者として、ネットワーク上で新たな人格を形成・維持することが可能となる。
【００１３】
なお、連結ユーザ識別情報により識別するユーザの数は２人に限らず、３人でも、４人でも、或いは１０人以上のグループでもよい。更に、連結ユーザ識別情報により識別する複数のユーザのグループは、一度対話記事を投稿した後、時間を経て再び同じ連結ユーザ識別情報により新たな対話記事を投稿してもよいし、新たなユーザの組み合わせを含んで構成する新たなユーザグループが新たな連結ユーザ識別情報を構成し、新たな対話記事を投稿してもよい。
【００１４】
（２）  前記端末から、少なくとも前記連結ユーザ識別情報の一部を指定するクエリーを伴って前記対話記事データの検索要求を受信する対話記事検索受付手段と、
受信した前記クエリーに基づいて、指定された前記連結ユーザ識別情報に対応する前記対話記事データを検索し、検索した前記対話記事データを前記端末へ送信する対話記事検索手段と、
を更に備えることを特徴とする、（１）に記載の対話記事投稿装置。
【００１５】
（２）の構成によれば、（１）に記載の対話記事投稿装置は、端末から、少なくとも連結ユーザ識別情報の一部を指定するクエリーを伴って対話記事データの検索要求を受信し、受信したクエリーに基づいて、指定された連結ユーザ識別情報に対応する対話記事データを検索し、検索した前記対話記事データを前記端末へ送信する。すなわち、第三者が閲覧可能な状態で記憶する対話記事データを、少なくとも連結ユーザ識別情報の一部を指定することにより閲覧することができる。
【００１６】
したがって、本発明に係る対話記事投稿装置は、複数のユーザが通信ネットワークを介して対話したデータに基づいて作成した対話記事データを、対話記事データに対応付けられた連結ユーザ識別情報のユーザを指定することにより検索し、閲覧することができる、という新たな情報提供のスタイルを提供する。そして、対話記事データを閲覧した第三者が、対話記事データに対応付けられたユーザとコミュニケーションをする機会を提供することになるので、結果として、新たなコミュニケーションを促進することができる。
【００１７】
（３）  新たな対話を希望する前記ユーザのユーザ識別情報を伴って、前記連結ユーザ識別情報を指定して、新たな対話を希望する旨を示す対話希望データを前記ユーザの端末から受信する対話希望受付手段と、前記対話希望受付手段が受信した前記対話希望データに基づいて、指定された前記連結ユーザ識別情報を構成するユーザ識別情報に対応するユーザの端末に、前記新たな対話を希望する前記ユーザのユーザ識別情報を送信する対話希望送信手段と、を備えることを特徴とする、（１）又は（２）に記載の対話記事投稿装置。
【００１８】
（３）の構成によれば、（１）又は（２）に記載の対話記事投稿装置は、新たな対話を希望するユーザのユーザ識別情報を伴って、連結ユーザ識別情報を指定して、新たな対話を希望する旨を示す対話希望データをユーザの端末から受信し、受信した対話希望データに基づいて、指定された連結ユーザ識別情報を構成するユーザ識別情報に対応するユーザの端末に、新たな対話を希望するユーザのユーザ識別情報を送信する。
【００１９】
したがって、本発明に係る対話記事投稿装置は、対話記事データを、検索し、閲覧することができる、という新たな情報提供のスタイルを提供し、対話記事データを閲覧した第三者から新たな対話を希望する旨を受信すると、希望した第三者に、対話記事データに対応付けられたユーザとのコミュニケーションをする機会を提供するので、新たなコミュニケーションを促進することができる。
【００２０】
（４）  前記複数のユーザのうちいずれか一のユーザから対話記事のテーマを受け付け、受け付けた前記テーマを閲覧可能とする対話テーマ受信手段と、前記対話テーマ受信手段が閲覧可能とした前記テーマについて、対話を希望する前記ユーザから申し込みを受信する申込受信手段と、前記申込受信手段が受信した前記申し込みに基づいて、前記申し込みをしたユーザの間で対話をすることについての同意を、前記申し込みをしたユーザから受信する対話同意受信手段と、を更に備え、前記対話進行手段は、前記対話同意受信手段が前記同意を受信した前記ユーザのうちいずれか一のユーザが入力した対話データを前記端末から受信し、前記同意を受信した他のユーザの端末へ受信した前記対話データを送信することを特徴とする、請求項１乃至請求項３に記載の対話記事投稿装置。
【００２１】
（４）の構成によれば、（１）乃至（３）に記載の対話記事投稿装置は、複数のユーザのうちいずれか一のユーザから対話記事のテーマを受け付け、受け付けたテーマを閲覧可能とする対話テーマ受信手段と、対話テーマ受信手段が閲覧可能としたテーマについて、対話を希望するユーザから申し込みを受信する申込受信手段と、申込受信手段が受信した申し込みに基づいて、申し込みをしたユーザの間で対話をすることについての同意を、申し込みをしたユーザから受信する対話同意受信手段と、を更に備え、対話進行手段は、対話同意受信手段が同意を受信したユーザのうちいずれか一のユーザが入力した対話データを端末から受信し、同意を受信した他のユーザの端末へ受信した対話データを送信する。
【００２２】
したがって、本発明に係る対話記事投稿装置は、対話記事のテーマを受け付け、受け付けたテーマについて対話を希望し、対話をすることについて同意をしたユーザの間で対話したデータに基づいて、対話記事データを作成する。そして、作成した対話記事データを、検索し、閲覧することができる、という新たな情報提供のスタイルを提供し、結果として、新たなコミュニケーションを促進することができる。
【００２３】
（５）  通信ネットワークを介して複数のユーザの端末と接続可能な対話記事投稿装置を含む対話記事投稿システムであって、前記ユーザの端末は、ユーザが入力したデータを前記対話記事投稿装置に送信し、前記対話記事投稿装置からデータを受信する送受信手段と、前記受信したデータを表示する表示手段と、を備え、前記対話記事投稿装置は、前記複数のユーザを識別するユーザ識別情報を記憶するユーザ識別情報記憶手段と、前記複数のユーザのうちいずれか一のユーザが入力した対話データを前記端末から受信し、受信した前記対話データを他の前記ユーザの端末へ送信すると共に、受信した前記対話データと前記一のユーザのユーザ識別情報とを対応付けて対話記憶手段に記憶する対話進行手段と、前記対話記憶手段に記憶した前記対話データを指定して、前記対話データを前記通信ネットワークを介して第三者が閲覧可能とする旨を指示する投稿指示データを前記端末から受信する投稿受付手段と、前記投稿受付手段が前記投稿指示データを受信したことに応じて、指定された前記対話データに対応付けて記憶している複数の前記ユーザ識別情報を連結して連結ユーザ識別情報を作成する識別情報連結手段と、前記識別情報連結手段が作成した前記連結ユーザ識別情報と、指定された前記対話データに基づいて作成した対話記事データと、を対応付けて前記通信ネットワークを介して第三者が閲覧可能な状態で対話記事記憶手段に記憶する対話記事投稿手段と、を備えることを特徴とする対話記事投稿システム。
【００２４】
したがって、本発明に係る対話記事投稿システムは、複数のユーザが通信ネットワークを介して対話したデータに基づいて作成した対話記事データを第三者が閲覧可能な状態で記憶する、という新たな情報提供のスタイルを提供する。そして、対話記事データを閲覧した第三者が、対話記事データに対応付けられたユーザとコミュニケーションをする機会を提供することになるので、結果として、新たなコミュニケーションを促進することができる。
【００２５】
（６）  通信ネットワークを介して複数のユーザの端末と接続可能な対話記事投稿装置が実行可能な対話記事投稿方法であって、前記複数のユーザを識別するユーザ識別情報をユーザ識別情報記憶手段に記憶するステップと、前記複数のユーザのうちいずれか一のユーザが入力した対話データを前記端末から受信し、受信した前記対話データを他の前記ユーザの端末へ送信すると共に、受信した前記対話データと前記一のユーザのユーザ識別情報とを対応付けて対話記憶手段に記憶するステップと、前記対話記憶手段に記憶した前記対話データを指定して、前記対話データを前記通信ネットワークを介して第三者が閲覧可能とする旨を指示する投稿指示データを前記端末から受信するステップと、前記投稿指示データを受信したことに応じて、指定された前記対話データに対応付けて記憶している複数の前記ユーザ識別情報を連結して連結ユーザ識別情報を作成するステップと、前記作成した前記連結ユーザ識別情報と、指定された前記対話データに基づいて作成した対話記事データと、を対応付けて前記通信ネットワークを介して第三者が閲覧可能な状態で対話記事記憶手段に記憶するステップと、を含むことを特徴とする対話記事投稿方法。
【００２６】
したがって、本発明に係る対話記事投稿方法は、複数のユーザが通信ネットワークを介して対話したデータに基づいて作成した対話記事データを第三者が閲覧可能な状態で記憶する、という新たな情報提供のスタイルを提供する。そして、対話記事データを閲覧した第三者が、対話記事データに対応付けられたユーザとコミュニケーションをする機会を提供することになるので、結果として、新たなコミュニケーションを促進することができる。
【発明の効果】
【００２７】
本発明によれば、コンピュータネットワークを介して行われる情報提供に、新たな情報提供のスタイルを提供し、結果として、新たなコミュニケーションを促進できる装置、システム、方法を提供することができる。
【発明を実施するための最良の形態】
【００２８】
以下、本発明の実施形態について図を参照しながら説明する。
【００２９】
［実施例１］
図１は、本発明の特徴を示す図である。図１は、本発明の一実施形態に係る対話記事投稿装置１０と、ユーザの端末６０ａ、６０ｂとの動作を機能ブロック図で示し、本発明の特徴を示している。
【００３０】
対話記事投稿装置１０は、コンピュータネットワーク７０を介して複数のユーザの端末と接続可能であり、ユーザ識別情報記憶手段としてユーザＤＢ３０と、対話進行手段として対話進行部１１と、対話記憶手段として対話データＤＢ３１と、投稿受付手段として投稿受付部１２と、識別情報連結手段として識別情報連結部１３と、対話記事記憶手段として対話記事ＤＢ３２と、対話記事投稿手段として対話記事投稿部１４と、を備えている。端末６０ａ、６０ｂは、それぞれ表示装置６１ａ、６１ｂを備え、対話記事投稿装置１０の下で、データの送受信を行う。
【００３１】
ユーザＤＢ３０は、複数のユーザを識別するユーザ識別情報を記憶する。そして、対話進行部１１は、複数のユーザのうちいずれか一のユーザが入力した対話データを端末から受信し、受信した対話データを他のユーザの端末へ送信すると共に、受信した対話データと一のユーザのユーザ識別情報とを対応付けて対話データＤＢ３１に記憶する。投稿受付部１２は、対話データＤＢ３１に記憶した対話データを指定して、対話データをコンピュータネットワーク７０を介して第三者が閲覧可能とする旨を指示する投稿指示データを端末から受信する。投稿受付部１２が投稿指示データを受信したことに応じて、識別情報連結部１３は、指定された対話データに対応付けて記憶している複数のユーザ識別情報を連結して連結ユーザ識別情報を作成する。対話記事投稿部１４は、識別情報連結部１３が作成した連結ユーザ識別情報と、指定された対話データに基づいて作成した対話記事データと、を対応付けてコンピュータネットワーク７０を介して第三者が閲覧可能な状態で対話記事ＤＢ３２に記憶する。
【００３２】
したがって、対話記事投稿装置１０は、複数のユーザがコンピュータネットワーク７０を介して対話した対話データを対話データＤＢ３１に記憶し、対話したユーザの指示に応じて、連結ユーザ識別情報と、対話データに基づいて作成した対話記事データとを対応付けて、第三者が閲覧可能な状態で対話記事ＤＢ３２に記憶する、という新たな情報提供のスタイルを提供する。そして、対話記事データを閲覧した第三者は、対話記事データに対応付けられたユーザとコミュニケーションをする機会を得る可能性があるので、対話記事投稿装置１０は、結果として、新たなコミュニケーションを促進することができる。
【００３３】
図２は、本発明の一実施形態に係る対話記事投稿装置１０の機能を構成する構成部と、構成部が処理するデータとの関連を示す図である。本発明の一実施形態に係る対話記事投稿装置１０は、本発明の特徴として図１で説明した構成に、更に対話記事検索受付手段として対話記事検索受付部１５と、対話記事検索手段として対話記事検索部１６と、対話希望受付手段として対話希望受付部１７と、対話希望送信手段として対話希望送信部１８と、を備えている。
【００３４】
ユーザＤＢ３０は、複数のユーザを識別するユーザ識別情報を記憶する。ユーザ識別情報は、対話記事投稿装置１０で発行するユーザＩＤ以外に、他のシステム、例えば通信ネットワークシステムなど、で発行されているユーザＩＤを利用することができる。
【００３５】
対話進行部１１は、一のユーザが入力した対話データを端末６０ａから受信し、受信した対話データを他のユーザの端末６０ｂへ送信する。そして、対話データを端末６０ａから受信すると共に、受信した対話データと一のユーザのユーザ識別情報とを対応付けて対話データＤＢ３１に記憶する。
【００３６】
対話データＤＢ３１は、対話データと、その対話データを送信したユーザのユーザ識別情報と、を対応付けて記憶する。対話データは、ユーザが対話記事投稿装置１０を介して相手のユーザへ送信し、相手のユーザから受信することにより対話したデータである。対話データは、対話ごとに、すなわち、スレッドごとに記憶している。
【００３７】
投稿受付部１２は、投稿指示データを端末６０ａ、６０ｂから受信する。投稿指示データは、対話データＤＢ３１に記憶した対話データを指定して、対話データをコンピュータネットワーク７０を介して第三者が閲覧可能とする旨を指示する指示データである。
【００３８】
識別情報連結部１３は、投稿受付部１２が投稿指示データを受信したことに応じて、指定された対話データに対応付けて記憶している複数のユーザ識別情報を連結して連結ユーザ識別情報を作成する。すなわち、例えば、ユーザＡのユーザ識別情報がＡＡＡ、ユーザＢのユーザ識別情報がＢＢＢである場合に、識別情報連結部１３は、連結ユーザ識別情報としてＡＡＡ−ＢＢＢを作成する。また、例えば、ユーザＡと、ユーザＢと、ユーザ識別情報がＣＣＣであるユーザＣとの場合には、識別情報連結部１３は、連結ユーザ識別情報としてＡＡＡ−ＢＢＢ―ＣＣＣを作成する。このことにより、ユーザは、連結ユーザ識別情報によって、対話データの対話を構成するユーザを即座に知ることができる。
【００３９】
対話記事投稿部１４は、識別情報連結部１３が作成した連結ユーザ識別情報と、指定された対話データに基づいて作成した対話記事データと、を対応付けてコンピュータネットワーク７０を介して第三者が閲覧可能な状態で対話記事ＤＢ３２に記憶する。
【００４０】
すなわち、対話記事ＤＢ３２には、例えば、ユーザＡとユーザＢとの間で、コンピュータネットワーク７０を介して交わされた対話データに基づいて作成した対話記事データが、連結ユーザ識別情報であるＡＡＡ−ＢＢＢに対応付けて記憶されている。
【００４１】
対話記事データは、対話データに基づいて作成される。すなわち、対話記事データは、対話データに基づいて閲覧用に編集されている。例えば、対話データのうち禁止ワードを別の記号に置き換えたり、対話データにタイトルを挿入したり、パラグラフに分けたり、対話データのうち投稿者が消したい部分を別の記号や模様に置換したり、などの対話データについての編集を、自動的に又は投稿者が行っている。
【００４２】
対話記事検索受付部１５は、端末６０ａ、６０ｂから、少なくとも連結ユーザ識別情報の一部を指定するクエリーを伴って対話記事データの検索要求を受信する。例えば、連結ユーザ識別情報ＡＡＡ−ＢＢＢに対応付けられた対話記事が記憶されている場合に、ＡＡＡを指定するクエリーを受信する。
【００４３】
対話記事検索部１６は、受信したクエリーに基づいて、指定された連結ユーザ識別情報に対応する対話記事データを検索し、検索した対話記事データを端末へ送信する。すなわち、例えば、連結ユーザ識別情報の一部であるＡＡＡに基づいて、ＡＡＡを含む連結ユーザ識別情報に対応付けられた対話記事を検索し、検索した対話記事データを端末へ送信する。
【００４４】
対話希望受付部１７は、新たな対話を希望するユーザのユーザ識別情報を伴って、連結ユーザ識別情報を指定して、新たな対話を希望する旨を示す対話希望データをユーザの端末６０ａ、６０ｂから受信する。すなわち、対話記事を検索し、閲覧したユーザ例えばＣＣＣから、対話記事投稿装置１０は、ＣＣＣを伴って、連結ユーザ識別情報ＡＡＡ−ＢＢＢを指定して、ＡＡＡと対話を希望する旨を示す対話希望データを受信する。
【００４５】
対話希望送信部１８は、対話希望受付部１７が受信した対話希望データに基づいて、指定された連結ユーザ識別情報を構成するユーザ識別情報に対応するユーザの端末６０ａ、６０ｂに、新たな対話を希望するユーザのユーザ識別情報を送信する。すなわち、対話を希望するユーザから受信した対話希望データに基づいて、例えばＡＡＡの端末６０ａへＣＣＣを送信する。対話希望を知ったＡＡＡがＣＣＣに応じれば、新たな対話が成立する。
【００４６】
図３は、本発明の一実施形態に係る対話記事投稿装置１０の動作環境を示す図である。本発明の一実施例である対話記事投稿装置１０が、コンピュータネットワーク７０（インターネット、ＬＡＮ、ＷＡＮなど）を介して端末６０ａ、６０ｂと互いに接続されている例を示している。
【００４７】
対話記事投稿装置１０は、複数のユーザのうちいずれか一のユーザが入力した対話データをコンピュータネットワーク７０を介して端末６０ａ、６０ｂから受信し、受信した対話データをコンピュータネットワーク７０を介して他のユーザの端末６０ｂ、６０ａへ送信する。また、対話記事投稿装置１０は、対話データＤＢ３１に記憶した対話データを指定して、投稿指示データをコンピュータネットワーク７０を介して端末６０ａ、６０ｂから受信し、受信したことに応じて、作成した連結ユーザ識別情報と、対話記事データと、を対応付けてコンピュータネットワーク７０を介して第三者が閲覧可能な状態で対話記事ＤＢ３２に記憶する。
【００４８】
更に、対話記事投稿装置１０は、コンピュータネットワーク７０を介して端末６０ａ、６０ｂから、少なくとも連結ユーザ識別情報の一部を指定するクエリーを伴って対話記事データの検索要求を受信し、検索要求に基づいて検索した対話記事データをコンピュータネットワーク７０を介して端末６０ａ、６０ｂへ送信する。そして、対話記事投稿装置１０は、新たな対話を希望するユーザのユーザ識別情報を伴って、連結ユーザ識別情報を指定して、新たな対話を希望する旨を示す対話希望データをコンピュータネットワーク７０を介してユーザの端末６０ａ、６０ｂから受信し、受信した対話希望データに基づいて指定された連結ユーザ識別情報を構成するユーザ識別情報に対応するユーザの端末６０ａ、６０ｂに、コンピュータネットワーク７０を介して新たな対話を希望するユーザのユーザ識別情報を送信する。
【００４９】
図４は、本発明の一実施形態に係る対話記事投稿装置１０のハードウェア構成の一例を示す図である。対話記事投稿装置１０は、ＣＰＵ（Ｃｅｎｔｒａｌ  Ｐｒｏｃｅｓｓｉｎｇ  Ｕｎｉｔ）１０１０（マルチプロセッサ構成ではＣＰＵ＿Ａ１０１２など複数のＣＰＵが追加されてもよい）、バスライン１００５、コンピュータネットワーク用通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ハードディスク１０７０、通信Ｉ／Ｆ１０８０並びにキーボード及びマウス１１００などの入力手段や表示装置１０２２を備える。
【００５０】
ＢＩＯＳ１０６０は、対話記事投稿装置１０の起動時にＣＰＵ１０１０が実行するブートプログラムや、ハードウェアに依存するプログラムなどを格納する。
【００５１】
ハードディスク１０７０は、対話記事投稿装置１０が機能するための各種プログラム及び本発明の機能を実行するプログラムを記憶しており、更に、ユーザＤＢ３０、対話データＤＢ３１、及び対話記事ＤＢ３２などの各種データベースを構成可能である。
【００５２】
表示装置１０２２は、データの入力を受け付ける画面を表示したりするものであり、ブラウン管表示装置（ＣＲＴ）、液晶表示装置（ＬＣＤ）などのディスプレイ装置を含む。
【００５３】
ここで、入力手段は、入力の受け付けを行うものであり、キーボード及びマウス１１００などにより構成する。
【００５４】
また、コンピュータネットワーク用通信Ｉ／Ｆ１０４０は、対話記事投稿装置１０を専用ネットワーク又は公共ネットワークを介してユーザの端末６０ａ、６０ｂなどと接続できるようにするためのネットワーク・アダプタである。すなわち、対話記事投稿装置１０は、コンピュータネットワーク用通信Ｉ／Ｆ１０４０を介して、端末６０ａ、６０ｂとデータの送受信を行う。通信Ｉ／Ｆ１０８０は、コンピュータネットワーク７０を介さないでデータを送受信するためのインターフェース装置である。
【００５５】
図５は、本発明の一実施形態に係るユーザＤＢ３０を示す図である。
【００５６】
ユーザＤＢ３０は、ユーザ識別情報としてユーザＩＤを記憶し、ユーザＩＤに対応付けて、ユーザ名とユーザ情報（例えば、ユーザの愛称、ユーザの端末のＵＲＬなど）とを記憶している。ユーザ名やユーザ情報は、対話データを表示する場合や、対話を希望するユーザのユーザ識別情報を希望する相手に送信する場合などに利用する。
【００５７】
図６は、本発明の一実施形態に係る対話データＤＢ３１を示す図である。
【００５８】
対話データＤＢ３１は、対話ごと（すなわち、スレッドＩＤごと）に、対話データと、仮対話記事データとを記憶している。対話データは、ユーザＩＤと受信したデータとが対応付けられて、受信した順に記憶されている。仮対話記事データは、投稿指示データを受信する前のデータ、すなわち、対話データに基づいて編集中の対話記事データである。
【００５９】
図７は、本発明の一実施形態に係る対話記事ＤＢ３２を示す図である。
【００６０】
対話記事ＤＢ３２は、連結ユーザＩＤと、タイトルと、対話記事データと、備考とを記憶している。連結ユーザＩＤは、投稿指示データを受信したことに応じて作成した、ユーザＩＤを連結したＩＤである。タイトルは、投稿された対話記事に付けられたタイトルである。対話記事データは、対話データに基づいて作成された対話記事である。備考は、対話記事に関するその他の情報として、例えば、対話記事の作成日などである。
【００６１】
図８は、本発明の一実施形態に係る対話記事投稿装置１０の処理内容を示すフローチャートである。なお、本処理は、例えば、プログラム開始指令を受け付けて開始し、プログラム終了指令を受け付けて終了する。
【００６２】
ステップＳ１０１において、ＣＰＵ１０１０は、ユーザの情報を受信したか否かを判断する。この判断がＹＥＳの場合は、処理をステップＳ１０２に移し、ＮＯの場合は処理をステップＳ１０３に移す。
【００６３】
ステップＳ１０２において、ＣＰＵ１０１０は、ユーザＩＤをユーザＤＢ３０に記憶する。より具体的には、ＣＰＵ１０１０は、ユーザが送信した情報からユーザＩＤやユーザの情報に関するデータ、例えば、氏名や愛称など、を抽出し、抽出したデータをユーザＩＤに対応付けてユーザＤＢ３０に記憶する。その後、ＣＰＵ１０１０は、処理をステップＳ１０１に移す。
【００６４】
ステップＳ１０３において、ＣＰＵ１０１０は、対話データを受信したか否かを判断する。この判断がＹＥＳの場合は、処理をステップＳ１０４に移し、ＮＯの場合は処理をステップＳ１０５に移す。
【００６５】
ステップＳ１０４において、ＣＰＵ１０１０は、受信した対話データを他のユーザへ送信すると共に受信した対話データを対話データＤＢ３１に記憶する。より具体的には、ＣＰＵ１０１０は、ユーザの端末６０ａから受信したデータから対話データを送信する相手の情報を抽出し、対話データを相手へ送信するためのデータを作成し、相手の端末６０ｂへ送信する。相手の端末６０ｂの表示装置６１ｂに送信した対話データが表示される。その後、ＣＰＵ１０１０は、処理をステップＳ１０１に移す。
【００６６】
ステップＳ１０５において、ＣＰＵ１０１０は、対話記事データの編集指示を受信したか否かを判断する。この判断がＹＥＳの場合は、処理をステップＳ１０６に移し、ＮＯの場合は処理をステップＳ１０７に移す。
【００６７】
ステップＳ１０６において、ＣＰＵ１０１０は、編集指示に基づき対話データを編集し対話記事を作成する。より具体的には、ＣＰＵ１０１０は、ユーザの端末６０ａ、６０ｂから編集指示データ、例えば、対話データへの文言の追加、変更、削除などの指示データ、を受信し、受信した指示データに基づいて、対話データへの文言の追加、変更、削除などを行い対話記事を作成する。また、ユーザの端末６０ａ、６０ｂから受信した編集指示データが自動編集指示である場合（例えば、最初の編集指示である場合）には、ＣＰＵ１０１０は、例えば、対話データのレイアウトを整形（タイトル付けやパラグラフ分けなど）し、禁止ワードを別の記号に置き換える、などの編集を自動的に行い対話記事データを作成する。編集した対話記事データは、対話データＤＢ３１のスレッドに対応する仮対話記事データに記憶される。その後、ＣＰＵ１０１０は、処理をステップＳ１０１に移す。
【００６８】
ステップＳ１０７において、ＣＰＵ１０１０は、投稿指示データを受信したか否かを判断する。受信した投稿指示データは、ユーザＩＤごとに記憶し、対話データに対応付けられているユーザＩＤごとの投稿指示データが揃った場合にＹＥＳと判断する。この判断がＹＥＳの場合は、処理をステップＳ１０８に移し、ＮＯの場合は処理をステップＳ１０９に移す。
【００６９】
ステップＳ１０８において、ＣＰＵ１０１０は、連結ユーザＩＤを作成し、対話記事データと対応付けて記憶する。より具体的には、ＣＰＵ１０１０は、対話データＤＢ３１において、投稿指示データが指定するスレッドの対話データのデータに対応付けられているユーザＩＤを抽出し、抽出したユーザＩＤを連結し、連結ユーザＩＤを作成する。そして、ＣＰＵ１０１０は、対話データＤＢ３１の仮対話記事データを連結ユーザＩＤに対応付けて対話記事ＤＢ３２に記憶する。仮対話記事データが存在しない場合（編集していない場合）には、ＣＰＵ１０１０は、対話データＤＢ３１の対話データを連結ユーザＩＤに対応付けて対話記事ＤＢ３２に記憶する。ＣＰＵ１０１０は、対話記事のタイトルや、対話記事作成時の日付なども対話記事ＤＢ３２に記憶する。その後、ＣＰＵ１０１０は、処理をステップＳ１０１に移す。
【００７０】
ステップＳ１０９において、ＣＰＵ１０１０は、検索要求を受信したか否かを判断する。この判断がＹＥＳの場合は、処理をステップＳ１１０に移し、ＮＯの場合は処理をステップＳ１１１に移す。
【００７１】
ステップＳ１１０において、ＣＰＵ１０１０は、対話記事ＤＢ３２を検索する。より具体的には、ＣＰＵ１０１０は、ユーザの端末６０ａ、６０ｂから少なくとも連結ユーザＩＤの一部を指定する検索要求を受信し、受信した検索要求から抽出したユーザＩＤに基づいて、対話記事ＤＢ３２を検索し、検索した該当する連結ユーザＩＤに対応する対話記事データをユーザの端末６０ａ、６０ｂに送信する。ユーザの端末６０ａ、６０ｂの表示装置６１ａ、６１ｂに、送信した対話記事データが表示される。その後、ＣＰＵ１０１０は、処理をステップＳ１０１に移す。
【００７２】
ステップＳ１１１において、ＣＰＵ１０１０は、対話希望データを受信したか否かを判断する。この判断がＹＥＳの場合は、処理をステップＳ１１２に移し、ＮＯの場合は処理をステップＳ１０１に移す。
【００７３】
ステップＳ１１２において、ＣＰＵ１０１０は、対話希望データを希望相手へ送信する。より具体的には、ＣＰＵ１０１０は、ユーザの端末６０ａ、６０ｂから対話希望データを受信し、受信した対話希望データから対話を希望する相手のユーザＩＤを抽出し、抽出した相手のユーザの端末６０ｂ、６０ａに、対話を希望するユーザのユーザＩＤを送信する。その後、ＣＰＵ１０１０は、処理をステップＳ１０１に移す。
【００７４】
図９は、本発明の一実施形態に係るユーザの端末６０ａの表示例を示す図である。図９の例は、一のユーザ（ユーザ名をＡとする）の端末６０ａ（Ａの端末６０ａという）が、対話記事投稿装置１０を介して相手のＢの端末６０ｂと対話データの送受信を行い、送受信した対話データを表示装置６１ａに表示していることを示す例である。
【００７５】
対話データ表示欄１０１には、ユーザが入力した対話データが表示されている。対話データ表示欄１０１のＡ側からの吹き出し表示は、Ａが入力し、送信した対話データを表わしている。対話データ表示欄１０１のＢ側からの吹き出し表示は、相手側のＢが入力し、Ａが受信した対話データを表している。Ａ側の欄１０２に表示されている編集スイッチ２０１をクリックすると、Ｂによって編集モードになっていない場合（Ｂ側の編集スイッチ２０３が消灯している場合）に、編集モードになり、対話データを編集することができる。Ａ側の欄１０２に表示されている投稿スイッチ２０２をクリックすると投稿指示データを対話記事投稿装置１０に送信し、相手のＢもＢの端末６０ｂにおいて投稿スイッチ２０４をクリックすると、対話記事投稿装置１０は対話記事を作成する。
【００７６】
なお、編集スイッチ２０１をクリックすると、過去の対話データを選択することができるようにし、対話が終了した後日においても対話データを編集可能としてよい。更に、対話記事を選択することができるようにし、投稿した後においても対話記事を編集可能としてもよい。編集により内容を充実させることにより、新たなコミュニケーションを促進できる。
【００７７】
図１０は、本発明の一実施形態に係るユーザの端末６０ａの表示例を示す図９に続く図である。図１０の例は、一のユーザ（ユーザ名をＡとする）の端末６０ａ（Ａの端末６０ａという）において、編集スイッチ２０１がクリックされ（編集スイッチ２０１点灯）、表示装置６１ａに表示されている対話データを、対話記事投稿装置１０を介して編集していることを示す例である。
【００７８】
図１０の表示例は、表示装置６１ａの編集表示欄１１１に、編集中の対話記事データを表示している。表示例は、自動的な編集として、例えば、元の対話データの最初の対話から「どんな本」を抽出しタイトルとし、「あほなＣ」を自動的に禁止ワードとして「＊＊＊＊」に置き換え、発言ごとにパラグラフ分けをした例である。禁止ワードは、ユーザが適宜更新することができるデータベースに登録されている。また、表示例は、ユーザによる対話データへの文言の追加、変更、削除などにより、最初のユーザＡ、ユーザＢの発言から無駄な文言が削除され、文章として整理されている例である。
【００７９】
図１１は、本発明の一実施形態に係るユーザの端末６０ａの表示例を示す図１０に続く図である。図１１の例は、一のユーザ（ユーザ名をＡとする）の端末６０ａ（Ａの端末６０ａという）において、表示装置６１ａに表示されている対話データを、対話記事投稿装置１０を介して編集し、編集が終了し、投稿しようとしていることを示す例である。
【００８０】
図１１の表示例は、表示装置６１ａの編集表示欄１１１に、編集が終了した対話記事データを表示している。そして、表示例は、ユーザＢが投稿に同意し、ユーザＢの端末６０ｂにおいて投稿スイッチ２０４をクリックしたので、ユーザＡの端末６０ａのユーザＢの投稿スイッチ２０４を示す表示が点灯していることを示している。この状態で、ユーザＡが投稿スイッチ２０２をクリックすると、対話データは投稿され、対話記事が作成される。
【００８１】
図１２は、本発明の一実施形態に係るユーザの端末６０ｂの表示例を示す図である。図１２の例は、一のユーザ（ユーザ名をＢとする）の端末６０ｂ（Ｂの端末６０ｂという）が、対話記事投稿装置１０を介して対話記事を検索し、閲覧していることを示す例である。
【００８２】
図１２の表示例は、表示装置６１ｂに表示されている検索スイッチ２０５をクリックし（検索スイッチ２０５点灯）、検索キーとして連結ユーザＩＤの一部である「ＡＡＡ」を入力して検索したことを示している。そして、端末６０ｂから入力した「ＡＡＡ＊」を受信した対話記事投稿装置１０が「ＡＡＡ」に基づいて検索し、検索した対話記事を端末６０ｂに送信し、送信された対話記事を受信した端末６０ｂが表示装置６１ｂの検索表示欄１２１に表示していることを示している。更に、検索表示欄１２１に表示された対話記事の中からユーザが選択した対話記事を閲覧スイッチ２０６をクリックする（閲覧スイッチ２０６点灯）ことにより内容表示欄１２２に対話記事を表示していることを示している。この対話記事を閲覧したユーザＢは、Ｄと対話をしたい場合にＡＡＡ−ＤＤＤのＤＤＤを指定して対話希望スイッチ２０７をクリックする（対話希望スイッチ２０７点灯）と、ユーザＢのユーザＩＤを伴って対話希望データが対話記事投稿装置１０に送信され、対話記事投稿装置１０は、ユーザＢのユーザＩＤをＤの端末に送信する。よって、ユーザＢはユーザＤと対話記事投稿装置１０を介して対話をすることができる。
【００８３】
［実施例２］
図１３は、本発明の一実施形態に係る対話記事投稿システムをブログに利用した場合の実施例を示す図である。図１３の例は、一のユーザ（ユーザ名をＡとする）が主催するブログに利用した場合の端末６０ａ（Ａの端末６０ａという）の表示装置６１ａの表示例を示す例である。
【００８４】
ユーザＡが主催するブログでは、対話記事投稿システムを利用することができる。すなわち、ユーザは、ユーザＡが主催するブログの下での対話記事を対話検索スイッチ３１１をクリックし、連結ユーザＩＤの一部を指定し、検索することができる。次いで、対話閲覧スイッチ３１２をクリックし、検索した対話記事を、閲覧し、対話記事の内容を知ることができる。そして、対話記事で対話しているユーザを指定して、対話希望スイッチ３１３をクリックすることにより対話を希望することができる。更に、ユーザは、希望して対話した対話データを投稿することにより、ユーザＡが主催するブログの下での対話記事を追加することができる。このように、対話記事投稿システムを利用することによって、ユーザＡが主催するブログは豊富な話題を提供することができる。
【００８５】
本実施例１及び２によれば、対話記事投稿装置１０は、複数のユーザがコンピュータネットワーク７０を介して対話した対話データを対話データＤＢ３１に記憶し、対話したユーザの指示に応じて、作成した連結ユーザ識別情報と、対話データに基づいて作成した対話記事データとを対応付けて、コンピュータネットワーク７０を介して第三者が閲覧可能な状態で対話記事ＤＢ３２に記憶する。
【００８６】
更に、対話記事投稿装置１０は、端末６０ａ、６０ｂから、少なくとも連結ユーザ識別情報の一部を指定するクエリーを伴って対話記事データの検索要求を受信し、受信したクエリーに基づいて、指定された連結ユーザ識別情報に対応する対話記事データを検索し、検索した対話記事データを端末６０ａ、６０ｂへ送信する。そして、対話記事投稿装置１０は、新たな対話を希望するユーザのユーザ識別情報を伴って、連結ユーザ識別情報を指定して、新たな対話を希望する旨を示す対話希望データをユーザの端末６０ａ、６０ｂから受信し、指定された連結ユーザ識別情報を構成するユーザ識別情報に対応するユーザの端末６０ａ、６０ｂに、コンピュータネットワーク７０を介して新たな対話を希望するユーザのユーザ識別情報を送信する。
【００８７】
したがって、本発明に係る対話記事投稿装置１０は、複数のユーザがコンピュータネットワーク７０を介して対話したデータに基づいて作成した対話記事データを対話記事ＤＢ３２に記憶し、対話記事データに対応付けられた連結ユーザ識別情報のユーザを指定することにより検索し、閲覧することができる、という新たな情報提供のスタイルを提供する。そして、対話記事データを閲覧した第三者が、新たな対話を希望する旨を示すと、対話記事投稿装置１０は、希望した第三者に、対話記事データに対応付けられたユーザとのコミュニケーションをする機会を提供するので、新たなコミュニケーションを促進することができる。
【００８８】
［実施例３］
図１４は、本発明の他の実施形態に係る対話記事投稿装置１０の機能を構成する構成部と、構成部が処理するデータとの関連を示す図である。本発明の一実施形態に係る対話記事投稿装置１０は、本発明の一実施形態として図２で説明した構成に、対話テーマ受信手段として対話テーマ受信部１９と、申込受信手段として申込受信部２０と、対話同意受信手段として対話同意受信部２１と、を更に備えている。
【００８９】
対話テーマ受信部１９は、ユーザから対話記事のテーマを受け付け、受け付けたテーマを閲覧可能とする。例えば、ユーザの端末６０ａから対話記事のテーマを受信し、受信した対話記事のテーマを他のユーザが閲覧可能な状態で記憶する。他のユーザは、対話記事のテーマを閲覧することにより、どのような対話記事のテーマがあるかを知ることができる。
【００９０】
申込受信部２０は、対話テーマ受信部１９が閲覧可能とした対話記事のテーマについて、対話を希望するユーザから申し込みを受信する。例えば、ユーザの端末６０ｂで対話記事のテーマを閲覧するユーザが、ユーザの端末６０ｂから所定の操作をすることにより対話を希望する申し込みを送信することができ、申込受信部２０は、その申し込みを受信する。
【００９１】
対話同意受信部２１は、申込受信部２０が受信した申し込みに基づいて、申し込みをしたユーザの間で対話をすることについての同意を、申し込みをしたユーザから受信する。例えば、ユーザの端末６０ｂから所定の操作をすることにより、対話することについての同意を送信することができ、対話同意受信部２１は、その同意を受信する。その際に、対話の申し込みをしたユーザに、申し込みをした他のユーザのプロフィールなどを閲覧できるようにしてもよい。ユーザは、プロフィールなどを閲覧することにより新たなコミュニケーションを求めることができる。
【００９２】
対話進行部１１は、対話することに同意した一のユーザが入力した対話データを端末６０ａから受信し、受信した対話データを対話することに同意した他のユーザの端末６０ｂへ送信する。そして、対話データを端末６０ａから受信すると共に、受信した対話データと一のユーザのユーザ識別情報とを対応付けて対話データＤＢ３１に記憶する。そして、図２に説明したように、対話記事投稿装置１０は、対話記事データを作成し、連結ユーザ識別情報と、対話記事データと、を対応付けてコンピュータネットワーク７０を介して第三者が閲覧可能な状態で対話記事ＤＢ３２に記憶する。
【００９３】
図１５は、本発明の他の実施形態に係る対話記事投稿装置１０の処理内容を示すフローチャートである。図１５のフローチャートは、ユーザＡが対話記事のテーマを提示し、ユーザＢ、Ｃ及びＤが参加し、ユーザＢ及びＤが同意する場合のフローチャートである。
【００９４】
ステップＳ２０１で、ユーザＡが対話記事のテーマを提示し、対話記事投稿装置１０は提示された対話記事のテーマを受け付け、例えば、対話記事のテーマ用のデータベースに記憶し、閲覧可能にする。ユーザＢ、Ｃ及びＤは、ユーザＡが提示した対話記事のテーマを閲覧することができる。ステップＳ２０２で、対話記事投稿装置１０は、参加を受け付け、対話記事のテーマを閲覧したユーザＢ、Ｃ及びＤから、テーマに賛同し対話に参加することを示す操作データを受信する。対話記事投稿装置１０は、受信したユーザに基づいてプロフィール用サーバへアクセスする。ステップＳ２０３で、対話記事投稿装置１０は、参加したユーザＢ、Ｃ及びＤのプロフィールをサーバから受信し、互いのプロフィールを閲覧することができるようにする。ステップＳ２０４で、対話記事投稿装置１０は、対話への同意を受け付け、互いのプロフィールを閲覧したユーザＢ及びＤから対話することに同意することを示す操作データを受信する。ステップＳ２０５で、対話記事投稿装置１０は、同意することを示す操作データを受信したユーザＢ、Ｄ及びＡの間で対話データを送受信し、対話したデータに基づいて対話記事データを作成する。ステップＳ２０６で、対話記事投稿装置１０は、投稿を受け付け、対話記事データを投稿する。投稿は、例えば、対話記事データをユーザＡのブログに投稿する。操作に基づいて任意にユーザＢ、Ｄのブログに投稿することもできる。
【００９５】
図１６は、本発明の他の実施形態に係るユーザの端末６０ｂの表示例を示す図である。図１６の例は、一のユーザ（ユーザ名をＢとする）の端末６０ｂ（Ｂの端末６０ｂという）が、対話記事投稿装置１０を介してユーザＡが提示した対話記事のテーマを表示装置６１ｂに表示していることを示す例である。
【００９６】
対話記事テーマ表示欄４０１には、ユーザＡが提示した対話記事のテーマがテーマ欄４０２ごとに表示され、参加するための参加ＯＫスイッチ４０３が表示されている。
【００９７】
図１７は、本発明の他の実施形態に係るユーザの端末６０ｂの表示例を示す図１６に続く図である。図１７の例は、図１６に続いて、ユーザＡが提示した対話記事のテーマの１つ、例えば、富士登山について、ユーザＢが参加ＯＫスイッチ４０３をクリックし、ユーザＢの端末６０ｂが対話に同意する画面を表示装置６１ｂに表示していることを示す例である。
【００９８】
対話記事同意表示欄４１１には、ユーザＡが提示した対話記事のテーマのうち、ユーザＢが参加することを選択したテーマが表示され、参加状態欄４１２には、他のユーザの参加の状態が表示されている。ここで、対話記事投稿装置１０は、ユーザＢがプロフィールスイッチ４１３をクリックすることに応じて、該当するユーザのプロフィールをサーバから取得し、ユーザＢの端末６０ｂに表示する。また、対話記事投稿装置１０は、ユーザＢが対話するスイッチ４１４をクリックすることに応じて、ユーザＢの状態を対話することに同意をした状態にし、対話しないスイッチ４１５をクリックすることに応じて、対話することに同意しない状態にする。
【００９９】
図１８は、本発明の他の実施形態に係るユーザの端末６０ｂの表示例を示す図１７に続く図である。図１８の例は、図１７に続いて、ユーザＡが提示した対話記事のテーマの１つ、例えば、富士登山について、対話することに同意したユーザＢ及びＤとユーザＡとの間で対話している画面を表示装置６１ｂに表示していることを示す例である。
【０１００】
対話データ表示欄４２１には、ユーザが入力した対話データが表示されている。編集スイッチ４３１、４３３、４３５をクリックすると、編集モードになり、対話データを編集することができる。投稿スイッチ４３２、４３４、４３６をクリックすると投稿指示データを対話記事投稿装置１０に送信し、対話記事を投稿することができる。例えば、ユーザＡが投稿スイッチ４３２をクリックするとユーザＡのブログに対話記事を投稿することができ、ユーザＢが投稿スイッチ４３４をクリックするとユーザＢのブログに対話記事を投稿することができ、ユーザＤが投稿スイッチ４３６をクリックするとユーザＤのブログに対話記事を投稿することができる。
【０１０１】
本実施例３によれば、対話記事投稿装置１０は、複数のユーザのうちいずれか一のユーザから対話記事のテーマを受け付け、受け付けたテーマを閲覧可能とし、閲覧可能としたテーマについて、対話を希望するユーザから申し込みを受信し、受信した申し込みに基づいて、申し込みをしたユーザの間で対話をすることについての同意を、申し込みをしたユーザから受信する。そして、対話記事投稿装置１０は、同意を受信したユーザのうちいずれか一のユーザが入力した対話データを端末から受信し、同意を受信した他のユーザの端末へ受信した対話データを送信する。よって、同意したユーザは、同意したユーザの間で対話をすることができる。このようにして、対話記事投稿装置１０は、複数のユーザがコンピュータネットワーク７０を介して対話した対話データを対話データＤＢ３１に記憶し、対話したユーザの指示に応じて、作成した連結ユーザ識別情報と、対話データに基づいて作成した対話記事データとを対応付けて、コンピュータネットワーク７０を介して第三者が閲覧可能な状態で対話記事ＤＢ３２に記憶する。対話記事データは、例えば、対話したユーザのブログにも投稿することができる。
【０１０２】
したがって、本発明に係る対話記事投稿装置１０は、対話記事のテーマを受け付け、受け付けたテーマについて対話を希望し、対話をすることについて同意をしたユーザの間で対話記事データを作成する。そして、作成した対話記事データを、検索し、閲覧することができる、という新たな情報提供のスタイルを提供し、結果として、新たなコミュニケーションを促進することができる。
【０１０３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１０４】
【図１】本発明の特徴を示す図である。
【図２】本発明の一実施形態に係る対話記事投稿装置１０の機能を構成する構成部と、構成部が処理するデータとの関連を示す図である。
【図３】本発明の一実施形態に係る対話記事投稿装置１０の動作環境を示す図である。
【図４】本発明の一実施形態に係る対話記事投稿装置１０のハードウェア構成の一例を示す図である。
【図５】本発明の一実施形態に係るユーザＤＢ３０を示す図である。
【図６】本発明の一実施形態に係る対話データＤＢ３１を示す図である。
【図７】本発明の一実施形態に係る対話記事ＤＢ３２を示す図である。
【図８】本発明の一実施形態に係る対話記事投稿装置１０の処理内容を示すフローチャートである。
【図９】本発明の一実施形態に係るユーザの端末６０ａの表示例を示す図である。
【図１０】本発明の一実施形態に係るユーザの端末６０ａの表示例を示す図９に続く図である。
【図１１】本発明の一実施形態に係るユーザの端末６０ａの表示例を示す図１０に続く図である。
【図１２】本発明の一実施形態に係るユーザの端末６０ｂの表示例を示す図である。
【図１３】本発明の一実施形態に係る対話記事投稿システムをブログに利用した場合の実施例を示す図である。
【図１４】本発明の他の実施形態に係る対話記事投稿装置１０の機能を構成する構成部と、構成部が処理するデータとの関連を示す図である。
【図１５】本発明の他の実施形態に係る対話記事投稿装置１０の処理内容を示すフローチャートである。
【図１６】本発明の他の実施形態に係るユーザの端末６０ｂの表示例を示す図である。
【図１７】本発明の他の実施形態に係るユーザの端末６０ｂの表示例を示す図１６に続く図である。
【図１８】本発明の他の実施形態に係るユーザの端末６０ｂの表示例を示す図１７に続く図である。
【符号の説明】
【０１０５】
１０  対話記事投稿装置
１１  対話進行部
１２  投稿受付部
１３  識別情報連結部
１４  対話記事投稿部
１５  対話記事検索受付部
１６  対話記事検索部
１７  対話希望受付部
１８  対話希望送信部
１９  対話テーマ受信部
２０  申込受信部
２１  対話同意受信部
３０  ユーザＤＢ
３１  対話データＤＢ
３２  対話記事ＤＢ
６０ａ、６０ｂ  ユーザの端末
７０  コンピュータネットワーク
【図１】
0004846761.tif 000002
【図２】
0004846761.tif 000003
【図３】
0004846761.tif 000004
【図４】
0004846761.tif 000005
【図５】
0004846761.tif 000006
【図６】
0004846761.tif 000007
【図７】
0004846761.tif 000008
【図８】
0004846761.tif 000009
【図９】
0004846761.tif 000010
【図１０】
0004846761.tif 000011
【図１１】
0004846761.tif 000012
【図１２】
0004846761.tif 000013
【図１３】
0004846761.tif 000014
【図１４】
0004846761.tif 000015
【図１５】
0004846761.tif 000016
【図１６】
0004846761.tif 000017
【図１７】
0004846761.tif 000018
【図１８】
0004846761.tif 000019